(57)【特許請求の範囲】
【請求項１】
筐体と、
前記筐体に取り付けられた正極端子と、
前記筐体に取り付けられた負極端子と、
前記筐体に取り付けられ、それぞれ２つの第１伝送線路によって前記正極端子に電気的に接続された２つの正極コネクタと、
前記筐体に取り付けられ、それぞれ２つの第２伝送線路によって前記負極端子に電気的に接続された２つの負極コネクタと、を含み、
前記２つの第１伝送線路及び前記２つの第２伝送線路は前記筐体に配置される、バッテリコネクタアダプタ。
【請求項２】
それぞれ前記２つの第１伝送線路に電気的に接続された、又はそれぞれ前記２つの第２伝送線路に電気的に接続された２つのヒューズをさらに含む、請求項１に記載のバッテリコネクタアダプタ。
【請求項３】
前記２つのヒューズはセッタブルヒューズ又はノンセッタブルヒューズを含む、請求項２に記載のバッテリコネクタアダプタ。
【請求項４】
それぞれ前記２つの第１伝送線路に電気的に接続された、又はそれぞれ前記２つの第２伝送線路に電気的に接続された２つのヒューズベースをさらに含み、前記２つのヒューズは前記２つのヒューズベースに配置される、請求項２に記載のバッテリコネクタアダプタ。
【請求項５】
前記筐体は防水材を含む、請求項１に記載のバッテリコネクタアダプタ。
【請求項６】
前記筐体は少なくとも１つの突出部を含み、前記正極端子、前記負極端子、前記２つの正極コネクタ、及び前記２つの負極コネクタの１つは前記少なくとも１つの突出部に配置される、請求項１に記載のバッテリコネクタアダプタ。
【請求項７】
前記正極端子、前記負極端子、前記２つの正極コネクタ、及び前記２つの負極コネクタの１つは前記筐体に配置される、請求項１に記載のバッテリコネクタアダプタ。
【請求項８】
前記筐体に配置された熱感知端子と、
前記筐体に配置され、少なくとも１つの第３伝送線路によって前記熱感知端子に電気的に接続された熱感知コネクタと、をさらに含み、
前記少なくとも１つの第３伝送線路は前記筐体に配置される、請求項１に記載のバッテリコネクタアダプタ。
【請求項９】
充電式バッテリに接触する熱感知端子と、
前記筐体に配置され、少なくとも１つの第３伝送線路によって前記熱感知端子に電気的に接続された熱感知コネクタと、をさらに含み、
前記少なくとも１つの第３伝送線路は前記筐体に配置される、請求項１に記載のバッテリコネクタアダプタ。
【請求項１０】
充電式バッテリに電気的に接続され、前記充電式バッテリの電圧、電流、温度、内部抵抗、及びコンダクタンスを検出する充電式バッテリ検出回路をさらに含む、請求項１に記載のバッテリコネクタアダプタ。
【請求項１１】
前記充電式バッテリ検出回路は、前記充電式バッテリが充電される場合に前記充電式バッテリの前記温度を検出する熱インジケータを含む、請求項１０に記載のバッテリコネクタアダプタ。
【請求項１２】
前記充電式バッテリ検出回路は、前記充電式バッテリが充電される場合に前記充電式バッテリの前記電流を検出する電流インジケータを含む、請求項１０に記載のバッテリコネクタアダプタ。
【請求項１３】
前記充電式バッテリ検出回路は、前記充電式バッテリが充電される場合に前記充電式バッテリの前記電圧を検出する電圧インジケータを含む、請求項１０に記載のバッテリコネクタアダプタ。
【請求項１４】
前記充電式バッテリ検出回路に電気的に接続され、前記充電式バッテリの前記電圧の値、前記電流の値、前記温度の値、前記内部抵抗の値、及び前記コンダクタンスの値を表示する表示灯をさらに含む、請求項１０に記載のバッテリコネクタアダプタ。
【請求項１５】
前記筐体に配置され、前記充電式バッテリ検出回路に電気的に接続され、前記充電式バッテリの前記温度の信号、前記電流の信号、及び前記電圧の信号を、スマートデバイス、クラウドネットワーク、又はサーバに無線送信する無線通信要素をさらに含む、請求項１０に記載のバッテリコネクタアダプタ。
【請求項１６】
前記筐体に配置され、前記無線通信要素に電気的に接続されたスイッチをさらに含み、前記無線通信要素は、無線信号に基づいて前記スイッチを制御して、前記充電式バッテリをオン又はオフさせ、前記充電式バッテリの前記内部抵抗の値、前記コンダクタンスの値、前記温度の値、前記電流の値、及び前記電圧の値を、前記スマートデバイス、前記クラウドネットワーク、又は前記サーバに無線送信する、請求項１５に記載のバッテリコネクタアダプタ。
【請求項１７】
前記筐体に配置され、充電式バッテリをオン又はオフするスイッチをさらに含む、請求項１に記載のバッテリコネクタアダプタ。
【発明の詳細な説明】
【技術分野】
【０００１】
本発明は、コネクタアダプタに関し、特にバッテリコネクタアダプタに関する。
【背景技術】
【０００２】
特許文献１は複数のアダプタを有する充電器を開示している。充電式バッテリは、様々な分野で広く利用されている電子機器であり、充電される必要があるだけでなく、試験される必要がある。
【０００３】
図１Ａ及び図１Ｂを参照されたい。図１Ａ及び図１Ｂは充電及び試験中の従来の充電式バッテリＢの回路図である。充電式バッテリＢを充電するためには、充電式バッテリＢの正端子及び負端子が２つの伝送線路を介してバッテリ充電器Ｃの正端子及び負端子に接続される必要がある。充電式バッテリＢを試験するためには、充電式バッテリＢの正端子及び負端子が４つの伝送線路を介して試験機器Ｔの正端子及び負端子１３、１４、１５、１６に接続される必要がある。
【先行技術文献】
【特許文献】
【０００４】
【特許文献１】台湾特許第Ｍ３０５４９８号公報
【発明の概要】
【発明が解決しようとする課題】
【０００５】
しかし、充電式バッテリＢを試験する試験機器Ｔは、大抵、より高い精度を得るために、ケルビン接続の４ライン構造ワイヤセットを使用するが、バッテリ充電器Ｃは４ライン構造ワイヤセットを必要としない。その代わりに、バッテリ充電器Ｃは、充電式バッテリＢを充電するために、充電式バッテリＢの正端子及び負端子に接続される２ライン構造ワイヤセットだけを必要とする。従って、充電と試験との間で充電式バッテリＢを管理する必要がある場合、２ライン構造ワイヤセットと４ライン構造ワイヤセットとを繰り返し抜き差しすることにより、２ライン構造ワイヤセットと４ライン構造ワイヤセットとを充電式バッテリＢに択一的に接続する必要がある。従って、その構造は、多くの時間を浪費し、使用者にとって便利ではない。
【０００６】
そのため、上記の問題を解決するためにバッテリコネクタアダプタをどのように提供すべきかということは緊急に取り組むべき主題である。
【課題を解決するための手段】
【０００７】
本発明は、筐体、正極端子、負極端子、２つの正極コネクタ、及び２つの負極コネクタを含むバッテリコネクタアダプタを開示する。正極端子、負極端子、２つの正極コネクタ、２つの負極コネクタは、筐体に配置される。２つの正極コネクタは、それぞれ、２つの第１伝送線路によって正極端子に電気的に接続され、２つの負極コネクタは、それぞれ、２つの第２伝送線路によって負極端子に電気的に接続される。２つの第１伝送線路及び２つの第２伝送線路は筐体に配置される。
【０００８】
使用者は、充電式バッテリを試験したい場合、４ライン構造ワイヤセットを介して試験機器を充電式バッテリに直接接続できる。
【０００９】
使用者は、充電式バッテリを充電したい場合、２ライン構造ワイヤセットを介してバッテリ充電器をバッテリコネクタアダプタの正極端子及び負極端子に接続でき、さらに、４ライン構造ワイヤセットを介してバッテリコネクタアダプタの２つの正極コネクタ及び２つの負極コネクタを充電式バッテリに接続できる。
【００１０】
要約すると、本発明のバッテリコネクタアダプタはアダプタの設計を提供し、これにより、使用者は、充電式バッテリに４ライン構造ワイヤセットを差し込み、充電式バッテリからそのワイヤセットを抜くことを繰り返さずに済む。その代わりに、充電式バッテリの正端子及び負端子に４ライン構造ワイヤセットを固定できる。従って、本発明のバッテリコネクタアダプタを相互に接続することによって、抜き差しの動作が簡単になり、従って、使用者はバッテリ充電器又は試験機器への接続を迅速に切り替えることができるので、使用者は充電式バッテリを迅速に充電及び試験でき、充電式バッテリの試験精度を維持できる。
【図面の簡単な説明】
【００１１】
【図１Ａ】充電を行われる従来の充電式バッテリの回路図である。
【図１Ｂ】試験を行われる従来の充電式バッテリの回路図である。
【図２Ａ】本発明のバッテリコネクタアダプタの立体図である。
【図２Ｂ】本発明のバッテリコネクタアダプタの立体図である。
【図２Ｃ】本発明のバッテリコネクタアダプタの断面図である。
【図２Ｄ】本発明の別の実施形態に係るバッテリコネクタアダプタの断面図である。
【図３Ａ】バッテリコネクタアダプタに接続されるワイヤセットの概略図である
【図３Ｂ】バッテリコネクタアダプタが、ワイヤセットを介して充電式バッテリに接続されると共に、バッテリ充電器に接続されることを示す回路図である。
【図３Ｃ】充電式バッテリがワイヤセットを介して試験機器に接続されることを示す回路図である。
【図４】本発明のバッテリコネクタアダプタのブロック図である。
【発明を実施するための形態】
【００１２】
図２Ａから図２Ｃを参照されたい。図２Ａから図２Ｃは本発明のバッテリコネクタアダプタの立体図及び断面図である。バッテリコネクタアダプタ２は、筐体２１、正極端子２２、負極端子２３、２つの正極コネクタ２４、及び２つの負極コネクタ２５を含む。正極端子２２、負極端子２３、２つの正極コネクタ２４、及び２つの負極コネクタ２５は筐体２１に配置される。２つの正極コネクタ２４は、それぞれ、２つの第１伝送線路２６によって正極端子２２に電気的に接続され、２つの負極コネクタ２５は、それぞれ、２つの第２伝送線路２７によって負極端子２３に電気的に接続され、２つの第１伝送線路２６及び２つの第２伝送線路２７は筐体２１に配置される。
【００１３】
バッテリコネクタアダプタ２は、それぞれ２つの第１伝送線路２６に電気的に接続された、又はそれぞれ２つの第２伝送線路２７に電気的に接続された２つのヒューズ２８をさらに含む。ヒューズ２８はセッタブルヒューズ又はノンセッタブルヒューズを含む。バッテリコネクタアダプタ２は、２つの第１伝送線路２６に接続された、又は２つの第２伝送線路２７に接続された２つのヒューズベース（図示せず）をさらに含む。２つのヒューズ２８は２つのヒューズベースに配置される。さらに、２つのヒューズ２８はヒューズベースに着脱可能に取り付けられるため、２本のヒューズ２８を断線時に交換できる。
【００１４】
バッテリコネクタアダプタ２はさらにフールプルーフ設計を有する。詳細には、本発明の実施形態では、少なくとも１つの突出部２１１が筐体２１に配置され、正極端子２２、負極端子２３、２つの正極コネクタ２４、及び２つの負極コネクタ２５の少なくとも１つは、使用者によって異なる端子又はコネクタとして明確に識別されるように、少なくとも１つの突出部２１１に配置される。従って、使用者は、端子又はコネクタの不適当な組合わせを回避でき、正端子及び負端子に同時に接触することによる短絡を回避できる。本実施形態では、２つの正極コネクタ２４が少なくとも１つの突出部２１１に配置される。また、バッテリコネクタアダプタ２の筐体２１は防水材を含み、それにより、バッテリコネクタアダプタ２に水がかけられた場合に短絡を回避できる。
【００１５】
図２Ｄを参照されたい。図２Ｄは本発明の別の実施形態に係るバッテリコネクタアダプタの断面図である。本実施形態では、全ての要素の機能が図２Ｃのバッテリコネクタアダプタ２の要素の機能と同じであるが、相違点は、正極端子２２、負極端子２３、２つの正極コネクタ２４、及び２つの負極コネクタ２５が筐体２１の異なる位置に配置されることである。従って、図２Ｄに示すように、筐体２１に配置された２つの第１伝送線路２６及び２つの第２伝送線路２７の位置は、それぞれ、２つの正極コネクタ２４及び２つの負極コネクタ２５の位置に対応し、第１伝送線路２６及び２つの第２伝送線路２７は筐体２１内で交差して配置される。
【００１６】
図３Ａ、図３Ｂ及び図３Ｃを参照されたい。図３Ａは、バッテリコネクタアダプタ及び充電式バッテリに接続されるワイヤセットの概略図であり、図３Ｂは、バッテリコネクタアダプタが、ワイヤセットを介して充電式バッテリＢに接続されると共に、バッテリ充電器Ｃに接続されることを示す回路図であり、図３Ｃは、充電式バッテリＢがワイヤセットを介して試験機器Ｔに接続されることを示す回路図である。ワイヤセット３ａ及びワイヤセット３ｂは、それぞれ、充電式バッテリＢの正端子及び負端子と、バッテリコネクタアダプタ２の２つの正極コネクタ２４及び２つの負極コネクタ２５との間に接続される。ワイヤセット３ａ及びワイヤセット３ｂは同一の構造を有し、従って、ワイヤセット３ａだけが図３Ａに示されている。
【００１７】
図３Ｂに示すように、ワイヤセット３ａは２つの端子３１ａ、３２ａ及び２つの極性コネクタ３３ａ、３４ａを有する。ワイヤセット３ｂは２つの端子３１ｂ、３２ｂ及び２つの極性コネクタ３３ｂ、３４ｂを有する。使用者が充電式バッテリＢを充電したい場合、ワイヤセット３ａの２つの端子３１ａ、３２ａは充電式バッテリＢの正端子に接続され、ワイヤセット３ａの２つの極性コネクタ３３ａ、３４ａはバッテリコネクタアダプタ２の２つの正極コネクタ２４に接続される。ワイヤセット３ｂの２つの端子３１ｂ、３２ｂは充電式バッテリＢの負端子に接続され、ワイヤセット３ｂの２つの極性コネクタ３３ｂ、３４ｂはバッテリコネクタアダプタ２の２つの負極コネクタ２５に接続される。バッテリコネクタアダプタ２の正極端子２２及び負極端子２３はそれぞれバッテリ充電器Ｃの正端子１１及び負端子１２に接続される。従って、充電式バッテリＢとバッテリ充電器Ｃとの接続はバッテリコネクタアダプタ２及びワイヤセット３ａ、３ｂによって完成する。
【００１８】
図３Ｃを参照されたい。使用者が充電式バッテリＢを試験したい場合、それぞれ充電式バッテリＢの正端子及び負端子に接続されたワイヤセット３ａ、３ｂはそのままであり、即ち、ワイヤセット３ａの２つの端子３１ａ、３２ａ及びワイヤセット３ｂの２つの端子３１ｂ、３２ｂは、充電式バッテリＢから抜かれる代わりに、充電式バッテリＢの正端子及び負端子に接続された状態を維持する。使用者は、試験機器Ｔに対する接続を行うために、ワイヤセット３ａ、３ｂの２つの極性コネクタ３３ａ、３４ａ、３３ｂ、３４ｂに接続されたバッテリコネクタアダプタ２を取り外し、ワイヤセット３ａ、３ｂの２つの極性コネクタ３３ａ、３４ａ、３３ｂ、３４ｂを試験機器Ｔの正端子及び負端子１３、１４、１５、１６にそれぞれ接続するだけでよい。従って、充電式バッテリＢと試験機器Ｔとの接続はワイヤセット３ａ、３ｂによってまさに完成する。
【００１９】
図４を参照されたい。図４は本発明のバッテリコネクタアダプタのブロック図である。本実施形態では、バッテリコネクタアダプタ２は端子及びコネクタの総数をさらに増加し得る。詳細には、バッテリコネクタアダプタ２は熱感知端子２９１と周囲温度ディスプレイ（図示せず）に接続される熱感知コネクタ２９２とを含み、それらは、バッテリ充電器Ｃ又は試験機器Ｔが充電式バッテリＢに接続されている間、充電式バッテリＢの温度の値を表示するために使用される。熱感知端子２９１は筐体２１又は充電式バッテリＢに配置され得る。熱感知コネクタ２９２は、筐体２１に配置され、少なくとも１つの第３伝送線路２９３によって熱感知端子２９１に接続され得る。少なくとも１つの第３伝送線路２９３は筐体２１に配置される。さらに、本発明の実施形態では、正極端子２２及び負極端子２３はＳＡＥ端子であり、２つの正極コネクタ２４及び２つの負極コネクタ２５はバナナコネクタである。本発明はこれに限定されるものではない。
【００２０】
バッテリコネクタアダプタ２は充電式バッテリ検出回路２０を含む。充電式バッテリ検出回路２０は、充電式バッテリ検出回路２０が充電式バッテリＢに電気的に接続されている間、充電式バッテリＢの電圧、電流、温度、内部抵抗、及びコンダクタンスを検出するために使用される。充電式バッテリ検出回路２０は、バッテリ充電器Ｃが充電式バッテリＢを充電している間、充電式バッテリＢの温度を検出するために使用される熱インジケータ２９４を含む。バッテリコネクタアダプタ２は、バッテリ充電器Ｃが充電式バッテリＢを充電している間、充電式バッテリＢの電流を検出するために使用される電流インジケータ２９５を含む。バッテリコネクタアダプタ２は、バッテリ充電器Ｃが充電式バッテリＢを充電している間、充電式バッテリＢの電圧を検出するために使用される電圧インジケータ２９６を含む。
【００２１】
バッテリコネクタアダプタ２は、筐体２１に配置され、充電式バッテリ検出回路２０の熱インジケータ２９４に電気的に接続された無線通信要素２９７を含む。無線通信要素２９７は、スマートデバイス、クラウドネットワーク、又はサーバに、充電式バッテリＢの温度を無線送信するために使用される。無線通信要素２９７は、充電式バッテリ検出回路２０の電流インジケータ２９５に電気的に接続され、スマートデバイス、クラウドネットワーク、又はサーバに、充電式バッテリＢの電流を無線送信する。無線通信要素２９７は、充電式バッテリ検出回路２０の電圧インジケータ２９６に電気的に接続され、スマートデバイス、クラウドネットワーク、又はサーバに、充電式バッテリＢの電圧を無線送信する。本発明の実施形態では、無線送信のための技術は、ZigBee（登録商標）／bluetooth（登録商標）／wifi（登録商標）／GPRS／GSM／WiMAX／Dedicated Short Range Communications (DSRC)／Wireless Access inVehicular Environments (WAVE)等を含む。スマートデバイスはスマートフォン及びタブレットを含む。サーバはデスクトップ及びノートブックを含む。従って、使用者は、無線伝送技術、スマートフォン、及びサーバを使用して、充電式バッテリＢの状態を遠隔監視できる。さらに、バッテリコネクタアダプタ２は、上記の熱インジケータ２９４、電流インジケータ２９５、及び電圧インジケータ２９６に電気的に接続され、充電式バッテリＢの電圧の値、電流の値、及び温度の値を表示するために使用されるハードワイヤ通信要素２９８を含む。図４では、電圧インジケータ２９６、電流インジケータ２９５、及び熱インジケータ２９４に同時に電気的に接続された唯１つのハードワイヤ通信要素２９８があるが、実際には、バッテリコネクタアダプタ２は、別個に、電圧インジケータ２９６、電流インジケータ２９５、及び熱インジケータ２９４に電気的に接続された複数のハードワイヤ通信要素２９８を含むことができることに留意すべきである。本発明はこれに限定されるものではない。本発明の実施形態では、ハードワイヤ通信のための技術は、Controller Area Network (CAN BUS)、Local Interconnect Network (LIN BUS)、Flex Ray、Media OrientedSystems Transport (MOST)、USB、General Purpose Input Output (GPIO)、RS232、RS485、及びInter-Integrated Circuit (IIC Bus)を含む。
【００２２】
バッテリコネクタアダプタ２は、筐体２１に配置され、充電式バッテリ検出回路２０に電気的に接続された表示灯２９９をさらに含む。表示灯２９９は、バッテリコネクタアダプタ２が充電式バッテリＢにうまく電気的に接続されているかどうかの状態を表示するために使用されるか、又は、充電式バッテリ検出回路２０が充電式バッテリＢに電気的に接続されているが、充電式バッテリＢをうまく充電できないことを使用者に警告する警告信号を発信するために使用される。また、表示灯２９９は、無線通信要素２９７、充電式バッテリ検出回路２０の、電圧インジケータ２９６、電流インジケータ２９５、及び熱インジケータ２９４に電気的に接続されたモニタ（図示せず）を含む。モニタは、バッテリコネクタアダプタ２がスマートデバイスに無線接続された状態、充電式バッテリＢの、電圧の値、電流の値、温度の値、内部抵抗の値、及びコンダクタンスの値を表示するために使用される。
【００２３】
バッテリコネクタアダプタ２は、筐体２１に配置され、無線通信要素２９７に電気的に接続されたスイッチ２９０をさらに含む。無線通信要素２９７は、無線信号に基づいてスイッチ２９０を制御し、バッテリコネクタアダプタ２に電気的に接続された充電式バッテリＢを迅速にオン又はオフし、充電式バッテリＢがオン又はオフされた状態を、スマートデバイス、クラウドネットワーク、又はサーバに無線送信する。本発明の別の実施形態では、筐体２１に配置され、無線通信要素２９７から切断されたスイッチ２９０が、バッテリコネクタアダプタ２を迅速にオン及びオフするために使用される。充電式バッテリＢをオン及びオフする方法は、手動制御、及び上記のスマートデバイス又はサーバによって行われる遠隔制御を含む。
【００２４】
要約すると、本発明のバッテリコネクタアダプタはアダプタの設計を提供し、これにより、使用者は、充電式バッテリにワイヤセットを差し込み、充電式バッテリからワイヤセットを抜くことを繰り返さずに済む。その代わりに、充電式バッテリの正端子及び負端子にワイヤセットを固定できる。従って、本発明のバッテリコネクタアダプタを接続することによって、充電式バッテリにワイヤセットを差し込み、充電式バッテリからワイヤセットを抜く動作が簡単になる。その後に、使用者はバッテリ充電器Ｃ又は試験機器Ｔへの接続を迅速に切り替えることができるので、使用者は充電式バッテリを迅速に充電及び試験できる。従って、充電式バッテリの試験精度を維持できる。
【要約】      （修正有）【課題】バッテリと、異なるライン構造のワイヤセットを介して接続する充電器、試験機器との接続切替えを短時間で行えるバッテリコネクタアダプタを提供する。【解決手段】バッテリコネクタアダプタ２は、筐体２１、正極端子２２、負極端子２３、２つの正極コネクタ２４及び２つの負極コネクタ２５を含む。正極端子、負極端子、２つの正極コネクタ及び２つの負極コネクタは、筐体に配置される。２つの正極コネクタは、それぞれ、２つの第１伝送線路２６によって正極端子に電気的に接続される。２つの負極コネクタは、それぞれ、２つの第２伝送線路２７によって負極端子に電気的に接続され、２つの第１伝送線路及び２つの第２伝送線路は筐体に配置される。【選択図】図２Ｃ【図１Ａ】
0006925065.tif 000002
【図１Ｂ】
0006925065.tif 000003
【図２Ａ】
0006925065.tif 000004
【図２Ｂ】
0006925065.tif 000005
【図２Ｃ】
0006925065.tif 000006
【図２Ｄ】
0006925065.tif 000007
【図３Ａ】
0006925065.tif 000008
【図３Ｂ】
0006925065.tif 000009
【図３Ｃ】
0006925065.tif 000010
【図４】
0006925065.tif 000011